(57)【要約】【課題】  連接された３つ以上の紙片が折り畳まれ、このうちの１つの紙片に情報記入部が分離可能に区画形成されてなる封筒において、紙片どうしを接着するための接着剤の管理を煩雑にすることなく情報記入部を容易に分離することができ、また、封入物が封入されるスペースを広くすることができ、紙片どうしを接着する前に封入物を封筒上に配置する場合に封入物を手間をかけずに配置する。【解決手段】  ３つ以上の紙片が連接してなる封筒用紙を、封筒を作成するために巻き込む際の巻き込み状態における内側面の巻き込み方向両辺に沿う領域に接着剤６０ａ，６０ｂを塗布するとともに、連接部分を介して折り畳まれた場合に巻き込み形状の最も外側となる紙片１０と対向する領域のうち、紙片１０に分離可能に設けられた配達証１１ａ，１１ｂと対向する領域よりも巻き込み形状の外側に接着剤３２ａを塗布する。【選択図】図１
2006027645.tif 000002
【特許請求の範囲】
【請求項１】
３つ以上の紙片が連接してなる封筒用紙が巻き込むように前記紙片の連接部分を介して順次折り畳まれて前記紙片どうしがその一部にて接着されて構成され、前記封筒用紙の巻き込み形状の最も外側となる紙片に情報記入部が分離可能に区画形成されてなる封筒であって、
前記封筒用紙は、前記封筒用紙の巻き込み状態における内側面の巻き込み方向両辺に沿う領域と、前記連接部分を介して折り畳まれた場合に前記巻き込み形状の最も外側となる紙片と対向する領域のうち前記情報記入部と対向する領域よりも前記巻き込み形状の外側に接着剤が塗布されている封筒。
【請求項２】
請求項１に記載の封筒において、
前記封筒用紙は、前記連接部分を介して折り畳まれた場合に前記巻き込み形状の最も外側となる紙片と対向する領域のうち前記情報記入部と対向する領域よりも前記巻き込み形状の内側に接着剤が塗布されていることを特徴とする封筒。
【請求項３】
１辺が互いに連接し、該１辺に隣接する２辺に沿う領域が互いに接着された前面片及び後面片からなる封筒本体と、前記前面片の前記後面片との連接辺とは反対側の辺にて連接した封用蓋片とを有してなる封筒であって、
前記封用蓋片は、分離可能に区画形成された情報記入部を有し、前記前面片との連接辺とは反対側の辺に沿う領域にて前記後面片と接着されている封筒。
【発明の詳細な説明】
【技術分野】
【０００１】
本発明は、連接された３つ以上の紙片が折り畳まれて構成される封筒に関し、特に、配達証等の情報記入部を有してなる封筒に関する。
【背景技術】
【０００２】
従来より、重要な配達物を発送する場合等において、配達物が受取人に配達されたことを確認できる配達記録郵便が用いられている。このような配達記録郵便においては、受取人の住所や氏名等が記載されるとともに、受取人の受取印を押下するための領域が設けられた配達証が配達物の裏面に貼付され、配達物が受取人にて受け取られると、配達証に受取印が押下され、その後、この配達証が配達物から剥離されて配達人によって持ち帰られる。これにより、配達物が間違いなく受取人に配達されたことを確認可能としている。
【０００３】
ここで、上述したような配達記録郵便においては、配達証を配達物の発送元にて配達物に貼付しておけば、郵便料金が減額される制度が設けられており、そのため、配達物の発送元において、配達物となる封筒を作成する際にこの封筒の一部に配達証を分離可能に設けておく技術が考えられている（例えば、特許文献１参照）。この技術においては、連接された３つの紙片のうち一端部となる紙片に配達証を分離可能に設けておき、また、この紙片に連接する紙片に宛先情報を印刷しておく。そしてまず、宛先情報が印刷された紙片とこの紙片に連接する２つの紙片のうち配達証が設けられていない側の紙片とを連接部を介して折り畳み接着する。この２つの紙片においては、２つの紙片に渡って３辺に接着剤が塗布されており、この接着剤によって互いに接着されることになる。これにより、封入物が封入される領域が形成される。その後、接着された２つの紙片のうち宛先情報が印刷されていない紙片と配達証が設けられた紙片とが対向するように折り畳み、配達証が設けられた紙片に塗布された剥離可能な接着剤によってこれらを互いに接着する。
【０００４】
このように、宛先情報が印刷された紙片とこれに隣接する紙片とが接着剤によって接着されて封入物が封入される領域が形成され、かつ、配達証が設けられた紙片が剥離可能な接着剤によって他の紙片と接着されているため、配達証を封筒から容易に分離して回収することができる。また、上述したように、配達物の発送元において、配達物となる封筒に宛先情報とともに配達証を印刷することにより、封筒に記載された宛先情報と、配達証に記載された受取人の住所や氏名等との人手による照合作業が不要となる。
【特許文献１】特開２０００−３１８７４１号公報
【発明の開示】
【発明が解決しようとする課題】
【０００５】
しかしながら、上述したような従来の配達証付封筒においては、封入物が封入される領域を形成するために宛先情報が印刷された紙片とこれに隣接する紙片とを接着するための接着剤と、これら接着された２つの紙片と配達証が設けられた紙片とを剥離可能に接着するための接着剤との２種類の接着剤を用いることになるため、接着剤の管理が煩雑になってしまうという問題点がある。
【０００６】
また、封入物が封入される領域を形成するために宛先情報が印刷された紙片とこれに隣接する紙片とに渡って３辺に接着剤が塗布されているため、封入物が封入されるスペースが狭くなってしまうとともに、製造工程において、３つの紙片が接着される前に封入物を封筒上に配置し、その後、３つの紙片を上述したように順次接着する場合においては、封入物が接着剤上に配置されないように封入物の配置位置を縦方向及び横方向のそれぞれについて精細に規定しなければならず手間がかかってしまうという問題点がある。
【０００７】
また、封入物の配置位置を精細に規定したとしても、封入物の配置時に封入物が傾くことを完全に回避することはできないため、紙片どうしの隣接辺に沿うように接着剤が塗布されている場合、封入物を配置する工程における生産効率が悪いものとなってしまうという問題点がある。
【０００８】
本発明は、上述したような従来の技術が有する問題点に鑑みてなされたものであって、連接された３つ以上の紙片が折り畳まれ、このうちの１つの紙片に情報記入部が分離可能に区画形成されてなる封筒において、紙片どうしを接着するための接着剤の管理を煩雑にすることなく情報記入部を容易に分離することができ、また、封入物が封入されるスペースを広くすることができ、紙片どうしを接着する前に封入物を封筒上に配置する場合に封入物を手間をかけずに配置することができる封筒を提供することを目的とする。
【課題を解決するための手段】
【０００９】
上記目的を達成するために本発明は、
３つ以上の紙片が連接してなる封筒用紙が巻き込むように前記紙片の連接部分を介して順次折り畳まれて前記紙片どうしがその一部にて接着されて構成され、前記封筒用紙の巻き込み形状の最も外側となる紙片に情報記入部が分離可能に区画形成されてなる封筒であって、
前記封筒用紙は、前記封筒用紙の巻き込み状態における内側面の巻き込み方向両辺に沿う領域と、前記連接部分を介して折り畳まれた場合に前記巻き込み形状の最も外側となる紙片と対向する領域のうち前記情報記入部と対向する領域よりも前記巻き込み形状の外側に接着剤が塗布されている。
【００１０】
また、前記封筒用紙は、前記連接部分を介して折り畳まれた場合に前記巻き込み形状の最も外側となる紙片と対向する領域のうち前記情報記入部と対向する領域よりも前記巻き込み形状の内側に接着剤が塗布されていることを特徴とする。
【００１１】
また、１辺が互いに連接し、該１辺に隣接する２辺に沿う領域が互いに接着された前面片及び後面片からなる封筒本体と、前記前面片の前記後面片との連接辺とは反対側の辺にて連接した封用蓋片とを有してなる封筒であって、
前記封用蓋片は、分離可能に区画形成された情報記入部を有し、前記前面片との連接辺とは反対側の辺に沿う領域にて前記後面片と接着されている。
【００１２】
上記のように構成された本発明においては、３つ以上の紙片が連接してなる封筒用紙が巻き込むように紙片の連接部分を介して順次折り畳まれ、封筒用紙の巻き込み状態における内側面の巻き込み方向両辺に沿う領域に塗布された接着剤によって紙片どうしが接着され、封筒用紙の巻き込み形状の最も外側となる紙片においては、さらに、連接部分を介して折り畳まれた場合にこの紙片と対向する紙片のうち情報記入部と対向する領域よりも巻き込み形状の外側に塗布された接着剤によってこの紙片と接着されている。
【００１３】
このように構成された封筒から、封筒用紙の巻き込み形状の最も外側となる紙片に設けられた情報記入部を分離した場合であっても、封筒用紙の巻き込み形状の最も外側となる紙片は、連接部分を介して折り畳まれた場合にこの紙片と対向する紙片のうち情報記入部と対向する領域よりも巻き込み形状の外側に塗布された接着剤によってこの紙片と接着されているので、剥離可能な接着剤を用いることなく、かつ、情報記入部が容易に分離できながらも、封筒が開いてしまったり、封筒内に封入された封入物が外部から見えてしまったりすることがない。
【００１４】
また、３つ以上の紙片が連接してなる封筒用紙が巻き込むように紙片の連接部分を介して順次折り畳まれ、封筒用紙の巻き込み状態における内側面の巻き込み方向両辺に沿う領域に塗布された接着剤によって紙片どうしが接着されることにより封入物が封入されるスペースが形成されるので、封入物が封入されるスペースが広くなり、かつ、紙片どうしを接着する前に封筒用紙上に封入物を配置する場合においても、封筒用紙の巻き込み方向とは垂直な方向についてのみ封入物が接着剤上に配置されないように配置位置を精細に規定すればよい。
【発明の効果】
【００１５】
以上説明したように本発明においては、封筒用紙の巻き込み形状の最も外側となる紙片に区画形成された情報記入部を分離した場合であっても、封筒用紙の巻き込み形状の最も外側となる紙片が、連接部分を介して折り畳まれた場合にこの紙片と対向する紙片のうち情報記入部と対向する領域よりも巻き込み形状の外側に塗布された接着剤によってこの紙片と接着されているため、情報記入部が分離可能に区画形成された封筒において、情報記入部が分離された場合に、封筒が開いてしまったり、封筒内に封入された封入物が外部から見えてしまったりすることを防止するために、剥離可能な接着剤を用いることなく、また、このような構成においても情報記入部を容易に分離することができる。また、３つ以上の紙片が連接してなる封筒用紙が巻き込むように紙片の連接部分を介して順次折り畳まれ、封筒用紙の巻き込み状態における内側面の巻き込み方向両辺に沿う領域に塗布された接着剤によって紙片どうしが接着されることにより封入物が封入されるスペースが形成されるため、封入物が封入されるスペースを広くすることができ、かつ、紙片どうしを接着する前に封筒用紙上に封入物を配置する場合においても、封筒用紙の巻き込み方向とは垂直な方向についてのみ封入物が接着剤上に配置されないように配置位置を精細に規定すればよい。
【００１６】
また、連接部分を介して折り畳まれた場合に巻き込み形状の最も外側となる紙片と対向する領域のうち情報記入部と対向する領域よりも巻き込み形状の内側に接着剤が塗布されているものにおいては、情報記入部を分離した後であっても、封筒内に小さな封入物が封入された場合でもこの封入物が外部に脱落してしまうことを防止することができる。
【発明を実施するための最良の形態】
【００１７】
以下に、本発明の実施の形態について図面を参照して説明する。
【００１８】
図１は、本発明の封筒を作成するための封筒用紙の実施の一形態を示す図であり、（ａ）は表面の構成を示す図、（ｂ）は裏面の構成を示す図である。
【００１９】
本形態は図１に示すように、３つの紙片１０，２０，３０が連接部分となる折り線４０ａ，４０ｂを介して連接してなるものであって、裏面の連接方向両辺に沿う領域にそれぞれ接着剤６０ａ，６０ｂが塗布されるとともに、接着剤６０ｂが塗布された側の接着剤６０ｂが塗布された領域よりも内側に３つの紙片１０，２０，３０に渡って開封用のミシン目５０が形成されて構成されている。なお、折り線４０ａ，４０ｂは、例えばミシン目によって形成すること等が考えられる。
【００２０】
３つの紙片１０，２０，３０のうち、連接状態の中央に位置する紙片２０の表面には、この封筒用紙１によって作成された封筒の受取人の住所や氏名等の宛先情報２１が印刷されている。
【００２１】
また、折り線４０ａを介して紙片２０に連接する紙片１０には、マイクロミシン目１２によって情報記入部である配達証１１ａ，１１ｂが分離可能に区画形成されており、また、配達証１１ａ，１１ｂのそれぞれについて、マイクロミシン目１２に連通する切り込み１３ａ，１３ｂが形成されている。２つの配達証１１ａ，１１ｂのうち、一方の配達証１１ａは、この封筒用紙１によって作成された封筒が受取人にて受け取られた場合に回収されるものであり、他方の配達証１１ｂは封筒とともに受取人に渡されるものである。これら配達証１１ａ，１１ｂには、その表面に、紙片２０に印刷された宛先情報２１に含まれる封筒の受取人の住所や氏名等が印刷されるとともに、受取人の受取印を押下するための領域が設けられており、さらに、この配達証を管理するためのバーコード情報が印刷されている。また、配達証１１ｂの裏面には、クーポン情報１４が印刷されている。
【００２２】
また、折り線４０ｂを介して紙片２０に連接する紙片３０の表面には、封筒用紙１が折り線４０ａ，４０ｂを介して折り畳まれた場合に配達証１１ａ，１１ｂに対向する領域に広告情報３１ａ，３１ｂがそれぞれ印刷されており、また、広告情報３１ａ，３１ｂを介して折り線４０ｂ側に接着剤３２ａが塗布されているとともに、広告情報３１ａ，３１ｂを介して折り線４０ｂとは反対側に接着剤３２ｂが塗布されている。
【００２３】
以下に、上記のように構成された封筒用紙１を用いた封筒の製造方法について説明する。
【００２４】
図２は、図１に示した封筒用紙１を用いた封筒の製造方法を説明するための図である。
【００２５】
図１に示した宛先情報２１、配達証１１ａ，１１ｂ、クーポン情報１４及び広告情報３１ａ，３１ｂが印刷されるとともに、ミシン目５０、マイクロミシン目１２及び切り込み１３ａ，１３ｂが形成された連続用紙１０１が搬送されてくると、まず、封筒用紙１毎にその天地領域に接着剤６０ａ，６０ｂがそれぞれライン状に塗布される（図２（ａ））。なお、宛先情報２１と配達証１１ａ，１１ｂとは、同一工程にて印刷されているため、その後、宛先情報２１と配達証１１ａ，１１ｂに記載された情報との照合を人手によって行うことはない。
【００２６】
次に、接着剤６０ａ，６０ｂが塗布された連続用紙１０１に対して、封筒用紙１毎に紙片２０となる領域上に封入物７０が載置される（図２（ｂ））。この際、図２（ｂ）に示すように連続用紙１０１が搬送経路上にて折り曲げられたタイミングでディチャッター（不図示）から封入物７０が連続用紙１０１上に差し込むように供給される。そのため、封筒用紙１毎に、連続用紙１０１の搬送方向先端側となる接着剤６０ａが塗布された領域が折り曲げられた後にディタッチャーから封入物７０が供給されはじめ、連続用紙１０１の搬送方向後端側となる接着剤６０ｂが塗布された領域が折り曲げられる前に封入物７０の供給が完了する。
【００２７】
次に、封入物７０が載置された連続用紙１０１が折り線４０ａ，４０ｂを介して折り曲げられはじめ（図２（ｃ））、まず、封筒用紙１毎に紙片３０となる領域の表面に接着剤３２ａ，３２ｂがライン状に塗布されながら、紙片３０となる領域が折り線４０ｂを介して折り畳まれる（図２（ｄ））。これにより、封筒用紙１のそれぞれについて、紙片２０と紙片３０とが接着剤６０ａ，６０ｂによって互いに接着され、封入物７０が封入された領域が形成されることになる。なお、紙片２０と紙片３０とは、連接方向の幅が略同一となっている。また、この工程にて連続用紙１０１に塗布される接着剤３２ａ，３２ｂと、図２（ａ）に示した工程にて連続用紙１０１に塗布される接着剤４０ａ，４０ｂとは、いずれも剥離可能なものとする必要はなく同一のものが用いられる。
【００２８】
次に、封筒用紙１の紙片１０となる領域が折り線４０ａを介して折り畳まれ、封筒用紙１のそれぞれについて、紙片１０と紙片３０とが、接着剤３２ａ，３２ｂ，６０ａ，６０ｂによって互いに接着される（図２（ｅ））。ここで、紙片３０に塗布される接着剤３２ａ，３２ｂのうち、広告情報３１ａ，３１ｂを介して折り線４０ｂ側にライン状に塗布される接着剤３２ａにおいては、紙片１０が折り線４０ａを介して折り畳まれた場合に紙片１０と対向する領域に塗布されている必要がある。そのため、紙片１０と紙片３０のそれぞれにおける連接方向の幅がほぼ同一である場合は、紙片３０の広告情報３１ａ，３１ｂを介して折り線４０ｂ側の任意の領域にライン状に接着剤３２ａを塗布すればよいが、紙片１０の幅が紙片３０の幅よりも狭い場合は、紙片３０の広告情報３１ａ，３１ｂを介して折り線４０ｂ側となる領域のうち、紙片１０が折り線４０ａを介して折り畳まれた場合に紙片１０と対向する領域に接着剤３２ａを塗布しなければならない。
【００２９】
その後、折り線４０ａ，４０ｂを介して折り畳まれて紙片１０，２０，３０が互いに接着された連続用紙１０１が封筒用紙１毎に断裁され、それにより、封筒用紙１によって作成された封筒に封入物７０が封入されてなる封書２が作成される（図２（ｆ））。
【００３０】
図３は、図１に示した封筒用紙１を用いて図２に示した工程によって作成された封書２の構成を示す図であり、（ａ）は表面を示す図、（ｂ）は（ａ）に示したＡ−Ａ’断面図、（ｃ）は裏面を示す図である。
【００３１】
図１に示した封筒用紙１を用いて図２に示した工程によって作成された封書２は図３に示すように、３つの紙片１０，２０，３０が連接してなる封筒用紙１が巻き込むように折り線４０ａ，４０ｂを介して順次折り畳まれ、封筒用紙１の巻き込み状態における内側面の巻き込み方向両辺に沿う領域に塗布された接着剤６０ａ，６０ｂによって紙片１０，２０，３０どうしが接着され、また、封筒用紙１の巻き込み形状の最も外側となる紙片１０においては、マイクロミシン目１２及び切り込み１３ａ，１３ｂによって配達証１１ａ，１１ｂが分離可能に設けられ、折り線４０ａを介して折り畳まれた場合に紙片１０と対向する紙片３０のうち配達証１１ａ，１１ｂと対向する領域に印刷された広告情報３１ａ，３１ｂよりも巻き込み形状の外側に塗布された接着剤３２ａによって紙片２０と接着された構造となっている。
【００３２】
以下に、上記のように構成された封書２の使用方法について説明する。
【００３３】
図４は、図１に示した封筒用紙１を用いて作成された封書２の使用方法を説明するための図である。
【００３４】
図２に示した工程によって作成された封書２は、紙片２０に印刷された宛先情報２１に従って受取人に配達される。
【００３５】
封書２が受取人に配達された後、紙片１０に設けられた配達証１１ａ，１１ｂのうち、一方の配達証１１ａを紙片１０から分離するために、紙片１０に形成された切り込み１３ａに指等を挿入し、配達証１１ａを捲りあげていくと（図４（ａ））、配達証１１ａがマイクロミシン目１２によって紙片１０から切り離されて分離していく。
【００３６】
配達証１１ａが紙片１０から完全に分離されると、紙片３０の配達証１１ａに対向する領域に印刷された広告情報３１ａが視認可能な状態となる（図４（ｂ））。また、この際、配達証１１ａが設けられた紙片１０は、紙片１０と対向する紙片３０のうち配達証１１ａ，１１ｂと対向する領域よりも巻き込み形状の外側に塗布された接着剤３２ａによって紙片３０と接着されているので、封筒が開いてしまったり、封筒内に封入された封入物が外部から見えてしまったりすることはない。また、紙片１０と対向する紙片３０のうち配達証１１ａ，１１ｂと対向する領域よりも巻き込み形状の内側に接着剤３２ｂが塗布されているため、配達証１１ａを分離した後であっても、封筒内に封入された封入物７０が外部に脱落してしまうことはない。
【００３７】
その後、紙片１０から分離された配達証１１ａに設けられた押印領域に受取人が押印し、この配達証１１ａが配達人によって回収され、また、受取人に受け取られた封書２は、ミシン目５０を断裁することによって開封される。
【００３８】
また、紙片１０に残存した配達証１１ｂが封書２の受取人によって、配達証１１ａと同様に紙片１０から分離されると、紙片３０の配達証１１ｂに対向する領域に印刷された広告情報３１ｂが視認可能な状態となる（図４（ｃ））。なお、本形態においては、配達証１１ａ，１１ｂの周囲にマイクロミシン目１２を形成しておくことにより、配達証１１ａ、１ｂを紙片１０から分離可能としているが、マイクロミシン目１２に限らず、一般的なミシン目やハーフスリット等、切り取り可能なものであればよい。ただし、マイクロミシン目１２による方が、配達証１１ａ，１１ｂを紙片１０から容易に分離することができる。また、この際、配達証１１ｂの裏面には、クーポン情報１４が印刷されているため、この配達証１１ｂをクーポン券として使用することもできる。
【００３９】
本形態のように、紙片１０と対向する紙片３０のうち配達証１１ａ，１１ｂと対向する領域よりも巻き込み形状の外側に接着剤３２ａが塗布されていることにより、配達証１１ａ，１１ｂが分離した場合であっても封筒が開いてしまうことを防止することができ、さらに、紙片１０と対向する紙片３０のうち配達証１１ａ，１１ｂと対向する領域よりも巻き込み形状の内側に接着剤３２ｂが塗布されていることにより、配達証１１ａを紙片１０から分離した後に、封筒内に封入された封入物７０が外部に脱落してしまうことを確実に防止することができる。
【００４０】
また、本形態においては、３つの紙片１０，２０，３０が連接してなる封筒用紙１を用いて作成された封筒を例に挙げて説明したが、本発明は、連接してなる紙片の数は３つ以上であれば３つに限らない。
【００４１】
（他の実施の形態）
上述した実施の形態においては、３つの紙片１０，２０，３０が連接してなる封筒用紙１が巻き込むように折り線４０ａ，４０ｂを介して順次折り畳まれ、封筒用紙１の巻き込み状態における内側面の巻き込み方向両辺に沿う領域に塗布された接着剤６０ａ，６０ｂによって紙片１０，２０，３０どうしが接着され、封筒用紙１の巻き込み形状の最も外側となる紙片１０においては、さらに、折り線４０ａを介して折り畳まれた場合に紙片１０と対向する紙片３０のうち配達証１１ａ，１１ｂと対向する領域に印刷された広告情報３１ａ，３１ｂよりも巻き込み形状の外側に塗布された接着剤３２ａによって紙片２０と接着されたものを例に挙げて説明したが、配達証１１ａ，１１ｂが設けられた紙片１０が他の紙片２０，３０よりも連接方向の長さが短いものであれば、一般的な封筒において封用蓋片となるフラップ部に配達証を設ける構成とすることも考えられる。
【００４２】
図５は、本発明の封筒の他の実施の形態を示す図であり、（ａ）は封筒を開いた状態の内側面を示す図、（ｂ）は封筒の裏面側を示す図、（ｃ）は（ｂ）に示したＡ−Ａ’断面図である。
【００４３】
本形態は図５に示すように、封用蓋部となるフラップ部２１０と、前面片２２０と、後面片２３０とが、折り線２４０ａ，２４０ｂを介して連接されてなり、フラップ部２１０、前面片２２０及び後面片２３０に渡って封筒の内側となる面の連接方向両辺に沿うように接着剤２６０ａ，２６０ｂがそれぞれ塗布され、この接着剤２６０ａ，２６０ｂによって、フラップ部２１０、前面片２２０及び後面片２３０が互いに接着されて構成されている。また、フラップ部２１０においては、マイクロミシン目２１２及び切り込み２１３ａ，２１３ｂによって配達証２１１ａ，２１１ｂが分離可能に設けられており、後面片２３０に塗布された接着剤２３２ａ，２３２ｂは、図１に示したものと同様に、折り線２４０ａ，２４０ｂを介して折り畳まれた場合に、配達証２１１ａ，２１１ｂを介して連接方向両側に対向する領域に塗布されている。このように構成することにより、１辺が互いに連接し、該１辺に隣接する２辺に沿う領域が互いに接着された前面片及び後面片からなる封筒本体と、前面片の後面片との連接辺とは反対側の辺にて連接したフラップ部とを有し、フラップ部に配達証が分離可能に設けられ、フラップ部が、前面片との連接辺とは反対側の辺に沿う領域にて後面片と接着された封筒が構成される。
【００４４】
なお、上述した実施の形態における配達証１１ａ，１１ｂ，２１１ａ，２１１ｂとなる片は、情報が記入されるものであればその用途が配達証となるものでなくてもかまわなく、また、上述した実施の形態で示されたような２枚だけでなく、領域に収められれば２枚以上であってもかまわない。
【００４５】
また、上述した実施の形態においては、郵便での用途に用いるものを例に挙げて説明したが、郵便ではなく宅配便での用途に用いられるものであってもよい。
【図面の簡単な説明】
【００４６】
【図１】本発明の封筒を作成するための封筒用紙の実施の一形態を示す図であり、（ａ）は表面の構成を示す図、（ｂ）は裏面の構成を示す図である。
【図２】図１に示した封筒用紙を用いた封筒の製造方法を説明するための図である。
【図３】図１に示した封筒用紙を用いて図２に示した工程によって作成された封書の構成を示す図であり、（ａ）は表面を示す図、（ｂ）は（ａ）に示したＡ−Ａ’断面図、（ｃ）は裏面を示す図である。
【図４】図１に示した封筒用紙を用いて作成された封書の使用方法を説明するための図である。
【図５】本発明の封筒の他の実施の形態を示す図であり、（ａ）は封筒を開いた状態の内側面を示す図、（ｂ）は封筒の裏面側を示す図、（ｃ）は（ｂ）に示したＡ−Ａ’断面図である。
【符号の説明】
【００４７】
１    封筒用紙
２    封書
１０，２０，３０    紙片
１１ａ，１１ｂ，２１１ａ，２１１ｂ    配達証
１２，２１２    マイクロミシン目
１３ａ，１３ｂ，２１３ａ，２１３ｂ    切り込み
１４    クーポン情報
２１    宛先情報
３１ａ，３１ｂ    広告情報
３２ａ，３２ｂ，６０ａ，６０ｂ，２３２ａ，２３２ｂ，２６０ａ，２６０ｂ    接着剤
４０ａ，４０ｂ    折り線
５０    ミシン目
７０    封入物
１０１    連続用紙
２１０    フラップ部
２２０    前面片
２３０    後面片
【図１】
2006027645.tif 000003
【図２】
2006027645.tif 000004
【図３】
2006027645.tif 000005
【図４】
2006027645.tif 000006
【図５】
2006027645.tif 000007